(57)【特許請求の範囲】
【請求項１】
ハウジングと、
前記ハウジングに対し、前記ハウジングの前方から取り付け可能なキャップと、
前記キャップを構成し、前記ハウジングの外周に対して気密状に外嵌される筒状部と、
前記キャップを構成し、前記筒状部から前方へ突出した形態の箱部と、
前記箱部の内部に形成され、前記筒状部で囲まれた収容空間と連通するエア溜まり空間と、
前記筒状部の外周における前記箱部との境界部に形成され、前記箱部の外周面に対し段差状に突出した形態のストッパとを備えているコネクタ。
【請求項２】
前記エア溜まり空間を内部に有する前記箱部の壁面同士を連結した形態の補強部を備えている請求項１に記載のコネクタ。
【請求項３】
前記箱部の外周面に形成され、他部材に係止可能な取付部を備えている請求項１又は請求項２に記載のコネクタ。
【請求項４】
前記箱部の外周面に形成された突起状の変位規制部を備えている請求項１から請求項３のいずれか１項に記載のコネクタ。
【請求項５】
前記箱部の外周には粘着テープが巻き付け可能となっており、
前記箱部の前端部に、前記箱部に巻き付けられた粘着テープが前記キャップに対して前方へ位置ずれすることを規制可能な離脱規制突起が形成されている請求項１から請求項４のいずれか１項に記載のコネクタ。
【請求項６】
ハウジングの外周に対し、前記ハウジングの前方から気密状に外嵌される筒状部と、
前記筒状部から前方へ突出した形態の箱部と、
前記箱部の内部に形成され、前記筒状部で囲まれた収容空間と連通するエア溜まり空間と、
前記筒状部の外周における前記箱部との境界部に形成され、前記箱部の外周面に対し段差状に突出した形態のストッパとを備えているキャップ。
【請求項７】
ハウジングと、
前記ハウジングに対し、前記ハウジングの前方から取り付け可能なキャップと、
前記キャップを構成し、前記ハウジングに嵌合される筒状部と、
前記筒状部に形成され、前記ハウジングのロックアームと係止することで前記筒状部と前記ハウジングを嵌合状態に保持するロック部と、
前記キャップを構成し、前記筒状部から前方へ突出した形態のテープ巻き付け部と、
前記テープ巻き付け部の外周面に形成された突起状の変位規制部とを備えているコネクタ。
【請求項８】
前記筒状部の外周における前記テープ巻き付け部との境界部に形成され、前記テープ巻き付け部の外周面に対し段差状に突出した形態のストッパを備えている請求項７に記載のコネクタ。
【請求項９】
前記筒状部が、前記ハウジングの外周に対して気密状に外嵌されるようになっており、
前記テープ巻き付け部の内部には、前記筒状部で囲まれた収容空間と連通するエア溜まり空間が形成されている請求項７又は請求項８に記載のコネクタ。
【請求項１０】
前記エア溜まり空間を内部に有する前記箱部の壁面同士を連結した形態の補強部を備えている請求項９に記載のコネクタ。
【請求項１１】
前記テープ巻き付け部の外周面に形成され、他部材に係止可能な取付部を備えている請求項７から請求項１０のいずれか１項に記載のコネクタ。
【請求項１２】
ハウジングに対し、前記ハウジングの前方から嵌合される筒状部と、
前記筒状部に形成され、前記ハウジングのロックアームと係止することで前記筒状部と前記ハウジングを嵌合状態に保持するロック部と、
前記筒状部から前方へ突出した形態のテープ巻き付け部と、
前記テープ巻き付け部の外周面に形成された突起状の変位規制部とを備えているキャップ。
【発明の詳細な説明】
【技術分野】
【０００１】
本発明は、コネクタ及びキャップに関するものである。
【背景技術】
【０００２】
特許文献１には、コネクタの支持筒に防水キャップを取り付けて、支持筒内に配された接点ピンへの被水を防止する技術が開示されている。防水キャップは筒状部を有しており、防水キャップを支持筒に取り付ける際には、筒状部が支持筒に対し気密状に嵌合される。
【０００３】
また、特許文献２には、ハウジングの外周壁部の開口部分を、防塵カバーで塞ぐ技術が開示されている。防塵カバーを外周壁部に外嵌することにより、ハウジングの嵌合部内への異物の侵入を防止するようになっている。また、防塵カバーの外周は露出しているので、防塵カバーの外周面に粘着テープを巻き付けることにより、防塵カバーをワイヤーハーネスに固着しておくことができる。
【先行技術文献】
【特許文献】
【０００４】
【特許文献１】特開平０５−３００８７０号公報
【特許文献２】特開２００５−１５８４５３号公報
【発明の概要】
【発明が解決しようとする課題】
【０００５】
特許文献１のものでは、防水キャップを支持筒に取り付ける過程で、防水キャップの筒状部とコネクタの支持筒とによって気密状に構成された閉塞空間の容積が減少していくため、この閉塞空間内の圧力が上昇し、防水キャップの取付け作業を行い難くなる。
【０００６】
また、特許文献２のものでは、防塵カバーが、ハウジングの外周壁部に単に被せられるだけであるため、ハウジングから外れてしまうことが懸念される。外れを防止する手段としては、防塵カバーと外周壁部の周面に形成したロック部を係止させることによって、防塵カバーとハウジングを嵌合状態に保持することが可能である。しかし、防塵カバーの周面にロック形状を形成すると、粘着テープによって防塵カバーをワイヤーハーネスに固着することができなくなる。
【０００７】
第１及び第２の発明は上記のような事情に基づいて完成されたものであって、ハウジングに防水機能を有するキャップを取り付ける際の作業性向上を図ることを目的とする。
【０００８】
第３及び第４の発明は上記のような事情に基づいて完成されたものであって、キャップとハウジングを嵌合状態に保持し、且つキャップを粘着テープによって他部材へ固着することを可能にすることを目的とする。
【課題を解決するための手段】
【０００９】
第１の発明のコネクタは、
ハウジングと、
前記ハウジングに対し、前記ハウジングの前方から取り付け可能なキャップと、
前記キャップを構成し、前記ハウジングの外周に対して気密状に外嵌される筒状部と、
前記キャップを構成し、前記筒状部から前方へ突出した形態の箱部と、
前記箱部の内部に形成され、前記筒状部で囲まれた収容空間と連通するエア溜まり空間とを備えているところに特徴を有する。
【００１０】
第２の発明のキャップは、
ハウジングの外周に対し、その前方から気密状に外嵌される筒状部と、
前記筒状部から前方へ突出した形態の箱部と、
前記箱部の内部に形成され、前記筒状部で囲まれた収容空間と連通するエア溜まり空間とを備えているところに特徴を有する。
【００１１】
第３の発明のコネクタは、
ハウジングと、
前記ハウジングに対し、前記ハウジングの前方から取り付け可能なキャップと、
前記キャップを構成し、前記ハウジングに嵌合される筒状部と、
前記筒状部に形成され、前記ハウジングのロックアームと係止することで前記筒状部と前記ハウジングを嵌合状態に保持するロック部と、
前記キャップを構成し、前記筒状部から前方へ突出した形態のテープ巻き付け部とを備えているところに特徴を有する。
【００１２】
第４の発明のキャップは、
ハウジングに対し、前記ハウジングの前方から嵌合される筒状部と、
前記筒状部に形成され、前記ハウジングのロックアームと係止することで前記筒状部と前記ハウジングを嵌合状態に保持するロック部と、
前記筒状部から前方へ突出した形態のテープ巻き付け部とを備えているところに特徴を有する。
【発明の効果】
【００１３】
第１及び第２の発明によれば、キャップをハウジングに嵌合する過程では、ハウジングの前面で封止されたキャップの内部空間が、容積減少に伴って圧力上昇する。しかし、キャップは、筒状部で囲まれた収容空間と連通するエア溜まり空間を備えているので、キャップの内部空間の圧力上昇が抑えられる。したがって、ハウジングのキャップを取り付ける際の作業性が良い。
【００１４】
第３及び第４の発明によれば、ロック部とロックアームの係止により、キャップとハウジングを嵌合状態に保持できる。また、ハウジングに嵌合される筒状部とは別に、テープ巻き付け部を設けたので、このテープ巻き付け部に粘着テープを巻き付けることにより、キャップを他部材に固着することが可能である。
【図面の簡単な説明】
【００１５】
【図１】実施例１のコネクタを粘着テープによってワイヤーハーネスに取り付けた状態をあらわす断面図
【図２】ワイヤーハーネスに固着したキャップとハウジングを組み付ける過程をあらわす断面図
【図３】コネクタをブラケット（他部材）に取り付けた状態をあらわす断面図
【図４】ハウジングとキャップを組み付けた状態をあらわす斜視図
【図５】キャップを斜め前方から見た斜視図
【図６】キャップを斜め後方から見た斜視図
【図７】キャップの背面図
【図８】キャップを粘着テープによってワイヤーハーネスに固着した状態をあらわす正面図
【発明を実施するための形態】
【００１６】
第１及び第２の発明は、前記エア溜まり空間の内面同士を連結した形態の補強部を備えていてもよい。この構成によれば、エア溜まり空間の容積が増減しないので、キャップをハウジングに取り付ける際の作業性が安定する。
【００１７】
第１及び第２の発明は、前記箱部の外周面に形成され、他部材に係止可能な取付部を備えていてもよい。この構成によれば、取付部を係止させることにより、キャップを他部材に取り付けることができる。
【００１８】
第１及び第２の発明は、前記箱部の外周面に形成された突起状の変位規制部を備えていてもよい。この構成によれば、箱部の外周周に粘着テープを巻き付けてキャップをワイヤーハーネス等に固着する場合に、粘着テープを突起状の変位規制部にも巻き付けることにより、粘着テープが周方向に位置ずれすることを防止できる。
【００１９】
第１及び第２の発明は、前記筒状部の外周における前記箱部との境界部に形成され、前記箱部の外周面に対し段差状に突出した形態のストッパを備えていてもよい。この構成によれば、箱部の外周に粘着テープを巻き付けてキャップをワイヤーハーネス等に固着する場合に、粘着テープをストッパに沿うように巻き付けることにより、粘着テープが筒状部側へ位置ずれすることを防止できる。
【００２０】
第３及び第４の発明は、前記テープ巻き付け部の外周面に形成された突起状の変位規制部を備えていてもよい。この構成によれば、テープ巻き付け部の外周周に粘着テープを巻き付けてキャップをワイヤーハーネス等に固着する場合に、粘着テープを突起状の変位規制部にも巻き付けることにより、粘着テープが周方向に位置ずれすることを防止できる。
【００２１】
第３及び第４の発明は、前記筒状部の外周における前記テープ巻き付け部との境界部に形成され、前記テープ巻き付け部の外周面に対し段差状に突出した形態のストッパを備えていてもよい。この構成によれば、テープ巻き付け部の外周に粘着テープを巻き付けてキャップをワイヤーハーネス等に固着する場合に、粘着テープをストッパに沿うように巻き付けることにより、粘着テープが筒状部側へ位置ずれすることを防止できる。
【００２２】
第３及び第４の発明は、前記筒状部が、前記ハウジングの外周に対して気密状に外嵌されるようになっており、前記テープ巻き付け部の内部には、前記筒状部で囲まれた収容空間と連通するエア溜まり空間が形成されていてもよい。この構成によれば、キャップをハウジングに嵌合する過程では、ハウジングの前面で封止されたキャップの内部空間が、容積減少に伴って圧力上昇する。しかし、テープ巻き付け部の内部が、筒状部で囲まれた空間と連通するエア溜まり空間となっているので、キャップの内部空間の圧力上昇が抑えられる。したがって、ハウジングのキャップを取り付ける際の作業性が良い。
【００２３】
第３及び第４の発明は、前記エア溜まり空間の内面同士を連結した形態の補強部を備えていてもよい。この構成によれば、テープ巻き付け部に粘着テープを強く巻き付けても、エア溜まり空間の容積が減少しないので、キャップをハウジングに取り付ける際の作業性が安定する。
【００２４】
第３及び第４の発明は、前記テープ巻き付け部の外周面に形成され、他部材に係止可能な取付部を備えていてもよい。この構成によれば、取付部を係止させることにより、キャップを他部材に取り付けることができる。
【００２５】
＜実施例１＞
以下、本発明を具体化した実施例１を図１〜図８を参照して説明する。本実施例１のコネクタＡは、合成樹脂製のハウジング１０と、複数の端子金具１６と、合成樹脂製のキャップ３０とを備えて構成されている。尚、以下の説明において、前記後の方向については、図１〜３における左方を前方と定義する。また、上下の方向については、図１〜８にあらわれる向きを、そのまま上方、下方と定義する。
【００２６】
図１〜３に示すように、ハウジング１０は、ブロック状をなす本体部１１と、本体部１１の上面、下面、左右両側面を覆う形態の筒状嵌合部１２とを備えている。本体部１１の内部には、複数の端子収容室１３が形成されている。各端子収容室１３は前後方向に細長く、複数の端子収容室１３は左右方向に並ぶように配されている。端子収容室１３の後端部は、ハウジング１０の後端面において端子挿入口１４として開口している。端子収容室１３の前端部は、ハウジング１０の前端面にタブ挿入口１５として開口している。タブ挿入口１５には、ハウジング１０に対し前方から相手側コネクタ（図示省略）を嵌合したときに、相手側コネクタに取り付けた雄形の端子金具（図示省略）のタブが、挿入されるようになっている。
【００２７】
各端子収容室１３の内部には、夫々、ハウジング１０の後方から雌形の端子金具１６が挿入されている。端子金具１６の後端部にはオープンバレル状の圧着部１７が形成され、圧着部１７には、電線１８の前端部と円筒状のゴム栓１９が、一括して固着されている。端子収容室１３に端子金具１６を挿入した状態では、端子収容室１３の内周面のうち端子挿入口１４に近い後端部領域に対し、ゴム栓１９の外周のリップ部が液密状（気密状）に密着するようになっている。したがって、端子収容室１３のうちゴム栓１９よりも前方の空間と、ハウジング１０の後方の外部空間とは気密状に区画される。
【００２８】
筒状嵌合部１２の後端部は、本体部１１の外周後端部に連なっている。本体部１１の外周と筒状嵌合部１２の内周とで区画された空間は、ハウジング１０の前面に開口し、キャップ３０の筒状部３１や相手側コネクタを嵌入させるための嵌入空間２０となっている。嵌入空間２０内には、本体部１１の外周に取り付けられたリング状のシール部材２１が取り付けられている。シール部材２１は、ハウジング１０の前方から筒状嵌合部１２内に収容され、本体部１１の外周の前端側領域に外嵌されたフロント部材２２によって抜止めされている。
【００２９】
本体部１１の上面（外面）には、前後方向に細長い形状であって、側面視において上下方向へシーソー状に弾性変形可能なロックアーム２３が形成されている。ロックアーム２３の前端部には、上下方向に貫通した形態のロック孔２４が形成されている。筒状嵌合部１２のうちロックアーム２３と対応する上面領域は、ロック解除操作を容易にすること等を目的として切欠した形態となっている。
【００３０】
キャップ３０は、筒状部３１と箱部３２（請求項７〜１３に記載のテープ巻き付け部）とを有する単一部品である。筒状部３１は、前後方向に貫通した形態であり、上下の壁部と左右の壁部を有する略角筒状をなしている。筒状部３１で包囲された空間は、前後両面が開放され、ハウジング１０の本体部１１を収容する収容空間３３となっている。筒状部３１を構成する上壁部の外面（上面）には、突起状をなすロック部３４が形成されている。
【００３１】
箱部３２は、後面（ハウジング１０と対向する面）のみが開口した形態であり、筒状部３１の前端部に連なっている。つまり、箱部３２は、筒状部３１の前端部から前方へ突出した形態である。箱部３２の内部は、エア溜まり空間３５となっている。エア溜まり空間３５は、箱部３２の後面のみに開放されており、エア溜まり空間３５の後端部と収容空間３３の前端部とが連通している。エア溜まり空間３５の内部には、その上面と下面とを連結した形態の板状をなす補強部３６が形成されている。補強部３６は、その板面が左右両側方に面する向きに配され、エア溜まり空間３５を左右２つに区画している（図６参照）。前後方向における補強部３６の形成領域は、エア溜まり空間３５の全長に亘って連続した範囲である。
【００３２】
図１〜５に示すように、箱部３２を構成する上面壁の高さは、筒状部３１を構成する上壁部に対して段差状に低くなっている。この上面壁と上壁部との高低差により、筒状部３１の前端部は、箱部３２の上面に対し相対的に高くなったストッパ３７となっている。また、箱部３２を構成する左右両側面壁には、左右対称な三対の変位規制部３８が形成されている。各変位規制部３８は、側壁面の外面から前後方向に細長くリブ状に突出した形態である。また、各変位規制部３８の前後方向における形成領域は、箱部３２の全長に亘る範囲である。
【００３３】
対をなす２つの変位規制部３８は、左側面壁と右側面壁とに分かれ、且つ同じ高さに配されている。また、三対の変位規制部３８は、互いに異なる高さに配されている。即ち、最も高い位置にある一対の変位規制部３８は、側面壁の上端縁に沿うように配されている。最も低い位置にある一対の変位規制部３８は、側面壁の下端縁に沿うように配されている。残りの一対の変位規制部３８は、側面壁の概ね中央高さ（詳しくは、中央よりも少し上方）に配されている。この中間高さに位置する一対の変位規制部３８の前端部には、離脱規制突起３９が形成されている。
【００３４】
箱部３２には、キャップ３０をブラケット５０（請求項に記載の他部材）に取り付けるための取付部４０が一体形成されている。取付部４０は、箱部３２の下面（外面）から下方へ突出した左右一対の側壁部４１と、両側壁部４１の下端縁同士を連結する支持壁部４２と、箱部３２の下面の後端縁部から支持壁部４２の正面との間に間隔を空けて前方へ片持ち状に延出した形態の係止アーム４３とを備えている。係止アーム４３の下面には係止突起４４が形成され、係止アーム４３の前端部には、下方へ突出した形態の前止まり部４５が形成されている。図３に示すように、ブラケット５０は、水平な板状をなし、自動車のボディ（図示省略）等から前方へ片持ち状に延出した形態である。ブラケット５０には係止孔５１が形成されている。
【００３５】
ブラケット５０にキャップ３０を取り付ける際には、ブラケット５０に対しその前方から取付部４０を水平に接近させ、支持壁部４２の上面と係止アーム４３の下面との隙間にブラケット５０を挿入させるようにする。挿入過程では、係止突起４４がブラケット５０に干渉することにより、係止アーム４３が上方へ弾性撓みする。そして、キャップ３０がブラケット５０に対し正規の取付け位置に到達すると、図３に示すように、ブラケット５０の前端部が前止まり部４５に突き当たることにより、キャップ３０の後方への移動が規制される。これと同時に、係止アーム４３が弾性復帰して係止孔５１と係止突起４４が係止し、この係止作用により、キャップ３０がブラケット５０に対して前方へ離脱することが規制される。
【００３６】
また、キャップ３０とブラケット５０を組み付けない場合、図１，２，８に示すように、キャップ３０は、ワイヤーハーネス５２の外周に対し、箱部３２（取付部４０）の下面を当接させた状態で粘着テープ５３により固着することもできる。粘着テープ５３は、箱部３２の外周とワイヤーハーネス５２の外周とに巻き付けられる。粘着テープ５３が巻き付けられた箱部３２と、ロック部３４が形成されている筒状部３１とは、前後方向に離間した異なる位置に配されている。したがって、ロック部３４に粘着テープ５３が巻き付けられる虞はなく、ロック部３４とロックアーム２３とによるロック機能が損なわれることはない。
【００３７】
箱部３２の外周面上では、粘着テープ５３が変位規制部３８に対し横切るように密着する。粘着テープ５３には周方向（巻き付け方向）の張力が作用しているのであるが、変位規制部３８か前後方向に細長いので、粘着テープ５３が変位規制部３８に対して周方向に位置ずれしようとしても、周方向の抵抗が生じる。これにより、粘着テープ５３が箱部３２に対して周方向に位置ずれすることが防止される。
【００３８】
また、筒状部３１の前端部には、箱部３２の後端部上面に対して段差状に高くなったストッパ３７が形成されている。したがって、箱部３２に巻き付けられた粘着テープ５３がキャップ３０に対して後方へ位置ずれしようとしても、ストッパ３７に当接することにより、粘着テープ５３の後方への位置ずれが防止される。さらに、変位規制部３８の前端部には、変位規制部３８の外面から幅方向外方へ突出した離脱規制突起３９が形成されている。したがって、箱部３２に巻き付けられた粘着テープ５３がキャップ３０に対して前方へ位置ずれしようとしても、離脱規制突起３９に当接することにより、粘着テープ５３の前方への位置ずれが防止される。
【００３９】
ハウジング１０から相手側コネクタが外されている状態では、端子金具１６やシール部材２１への異物の付着等を防止するため、ハウジング１０の前端部にはキャップ３０が組み付けられる。キャップ３０を組み付ける過程では、筒状部３１が嵌入空間２０内に挿入され、ロックアーム２３がロック部３４と干渉して上方へ弾性撓みする。そして、キャップ３０がハウジング１０に対して正規の組付け状態になると、ロックアーム２３が弾性復帰してロック孔２４がロック部３４に係止する。この係止作用により、キャップ３０とハウジング１０が組付け状態にロックされる。
【００４０】
キャップ３０を組み付けた状態では、筒状部３１内に本体部１１が収容され、本体部１１の前面のタブ挿入口１５がキャップ３０によって塞がれる。また、嵌入空間２０の奥端部では、筒状部３１の後端部がシール部材２１の外周に密着して、本体部１１の外周面と筒状部３１の内周面との隙間が、シール部材２１により全周に亘って液密状態にシールされる。したがって、嵌入空間２０の奥端部に水が浸入したとしても、その水が本体部１１の外周面や筒状部３１の内周面を伝ってタブ挿入口１５まで到達することはない。
【００４１】
さて、キャップ３０をハウジング１０に組み付ける過程において、図２に示すように、筒状部３１の後端部がシール部材２１に到達すると、筒状部３１内の収容空間３３と端子収容室１３とを含む封止空間４６の内部が気密状に封止される。キャップ３０とハウジング１０の嵌合動作が進むのに伴って、収容空間３３の容積が減少するため、封止空間４６の容積も減少していく。これにより、封止空間４６内の圧力が上昇するが、この圧力上昇はキャップ３０とハウジング１０を組み付ける際の抵抗となる。
【００４２】
しかし、キャップ３０内には、収容空間３３の前端と連通して封止空間４６を構成するエア溜まり空間３５が形成されているので、このエア溜まり空間３５の分だけ、封止空間４６の容積が大きく確保されている。したがって、キャップ３０とハウジング１０が正規嵌合して収容空間３３の容積が大幅に減少しても、封止空間４６の全体としての容積の減少は、エア溜まり空間３５が形成されていない場合に比べて小さく抑えられる。これにより、キャップ３０とハウジング１０の組付け過程における封止空間４６の圧力上昇が抑制されるので、キャップ３０とハウジング１０を組み付ける際の抵抗が低減されている。
【００４３】
上述のように本実施例１のコネクタＡは、ハウジング１０と、ハウジング１０に対しその前方から取り付け可能なキャップ３０とを備えている。キャップ３０は、ハウジング１０の外周に対して気密状に外嵌される筒状部３１と、筒状部３１から前方へ突出した形態の箱部３２とを備えている。そして、箱部３２の内部には、筒状部３１で囲まれた空間と連通するエア溜まり空間３５が形成されている。
【００４４】
この構成によれば、キャップ３０をハウジング１０に嵌合する過程で、ハウジング１０の前面で封止されたキャップ３０の内部の収容空間３３及び収容空間３３を含む封止空間４６が、その容積の減少に伴って圧力上昇する。しかし、キャップ３０は、筒状部３１で囲まれた収容空間３３と連通するエア溜まり空間３５を備えているので、キャップ３０内の収容空間３３を含む封止空間４６内の圧力上昇が抑えられる。したがって、ハウジング１０のキャップ３０を取り付ける際の作業性が良い。
【００４５】
また、キャップ３０には、エア溜まり空間３５の内面同士を連結した形態の補強部３６が形成されている。この構成によれば、エア溜まり空間３５の容積が増減しないので、キャップ３０をハウジング１０に取り付ける際の作業性が安定する。また、箱部３２の外周面には、ブラケット５０に係止可能な取付部４０が形成されているので、取付部４０を係止させることにより、キャップ３０をブラケット５０に取り付けることができる。
【００４６】
また、本実施例のコネクタＡは、ハウジング１０及びキャップ３０を備えた上で、筒状部３１には、ハウジング１０のロックアーム２３と係止することで筒状部３１とハウジング１０を嵌合状態に保持するロック部３４が形成されている。この構成によれば、ロック部３４とロックアーム２３の係止により、キャップ３０とハウジング１０を嵌合状態に保持できる。そして、筒状部３１から前方へ突出した箱部３２は、粘着テープ５３を巻き付けるためのテープ巻き付け部としての機能も兼ね備えている。つまり、キャップ３０は、ハウジング１０に嵌合される筒状部３１とは別に、テープ巻き付け部としての機能を有する箱部３２を備えている。この構成によにれば、箱部３２（テープ巻き付け部）に粘着テープ５３を巻き付けることにより、キャップ３０をワイヤーハーネス５２等の別の部材に固着することが可能である。
【００４７】
また、箱部３２の外周面には突起状の変位規制部３８が形成されている。この構成によれば、箱部３２の外周周に粘着テープ５３を巻き付けてキャップ３０をワイヤーハーネス５２等に固着する場合に、粘着テープ５３を突起状の変位規制部３８にも巻き付けることにより、粘着テープ５３が周方向に位置ずれすることを防止できる。
【００４８】
また、筒状部３１の外周における箱部３２との境界部には、箱部３２の外周面に対し段差状に突出した形態のストッパ３７が形成されている。この構成によれば、箱部３２の外周に粘着テープ５３を巻き付けてキャップ３０をワイヤーハーネス５２等に固着する場合に、粘着テープ５３をストッパ３７に沿うように巻き付けることにより、粘着テープ５３が筒状部３１側へ位置ずれすることを防止できる。
【００４９】
＜他の実施例＞
本発明は上記記述及び図面によって説明した実施例に限定されるものではなく、例えば次のような実施例も本発明の技術的範囲に含まれる。
（１）上記実施例１では、箱部（テープ巻き付け部）の外周に取付部を形成したが、第１〜第４の発明によれば、箱部（テープ巻き付け部）の外周に取付部を形成しない形態としてもよい。
（２）上記実施例１では、箱部（テープ巻き付け部）の外周面に変位規制部を形成したが、第１〜第４の発明によれば、箱部（テープ巻き付け部）の外周面に変位規制部を形成しない形態としてもよい。
（３）上記実施例１では、筒状部の外周における箱部（テープ巻き付け部）との境界部にストッパを形成したが、第１〜第４の発明によれば、筒状部の外周における箱部（テープ巻き付け部）との境界部にストッパを形成しない形態としてもよい。
（４）上記実施例１では、エア溜まり空間の内部に補強部を形成したが、第１〜第４の発明によれば、エア溜まり空間の内部に補強部を形成しない形態としてもよい。
（５）上記実施例１では、箱部（テープ巻き付け部）の内部にエア溜まり空間を形成したが、第３及び第４の発明によれば、箱部（テープ巻き付け部）の内部にエア溜まり空間を形成しない形態としてもよい。
【符号の説明】
【００５０】
Ａ…コネクタ
１０…ハウジング
２３…ロックアーム
３０…キャップ
３１…筒状部
３２…箱部（テープ巻き付け部）
３３…収容空間
３４…ロック部
３５…エア溜まり空間
３６…補強部
３７…ストッパ
３８…変位規制部
４０…取付部
５０…ブラケット（他部材）
【図１】
0006551744.tif 000002
【図２】
0006551744.tif 000003
【図３】
0006551744.tif 000004
【図４】
0006551744.tif 000005
【図５】
0006551744.tif 000006
【図６】
0006551744.tif 000007
【図７】
0006551744.tif 000008
【図８】
0006551744.tif 000009